Podtech/llm-jp-corpus-v4-ja_patent huggingface dataset:
(57)【要約】【課題】  本発明はインターネット検索エンジンがウェブページに与えた評価値を調査する労力を削減することを課題とする。【解決手段】  記憶装置からウェブページのＵＲＬを取得する手順とブラウザでウェブページを開く手順とブラウザ上に表示されたインターネット検索エンジンがウェブページに与えた評価値を取得する手順と取得した評価値を記憶装置に格納する手段とを備えて構成される。【特許請求の範囲】
【請求項１】
コンピュータに、記憶装置からウェブページのＵＲＬを取得する手順と、ブラウザでウェブページを開く手順と、ブラウザ上に表示されたインターネット検索エンジンがウェブページに与えた評価値を取得する手順と、取得した評価値を記憶装置に格納する手段を実行させるためのプログラム。
【発明の詳細な説明】
【技術分野】
【０００１】  本発明は、インターネット広告を掲載するウェブページの選択方法に関する。
【背景技術】
【０００２】  インターネット広告を掲載する際に広告を掲載するウェブページを選択するための指標として、インターネット検索エンジンがウェブページに与えた評価値がある。評価値は個々のインターネット検索エンジン独自のものであり、評価値の大きなウェブページからリンクされるとそのインターネット検索エンジンでの検索結果の上位表示に効果がある。従って、より評価値の大きなウェブページに広告を掲載するほどインターネット検索エンジン上位表示による大きな広告効果を得ることができる。ウェブページの評価値を知るにはインターネットブラウザでウェブページを表示し画面に表示された評価値を読み取る作業が必要である。
【発明の開示】
【発明が解決しようとする課題】
【０００３】  しかしながらインターネットブラウザでウェブページを表示し画面に表示された評価値を読み取る作業は労力を必要とし、特に評価値を調査したいウェブページが多数ある場合は非常に大きな労力を必要とするかまたは多数のウェブページの評価値を調査することは現実的に不可能であった。本発明ではインターネット検索エンジンがウェブページに与えた評価値を調査する労力を削減することを課題とする。
【課題を解決するための手段】
【０００４】  この課題を解決するために請求項１の発明は、評価値を調査するウェブページのＵＲＬを記憶装置から取得し、インターネットブラウザを起動し、指定されたウェブページをインターネットブラウザに表示させ、インターネットブラウザ上に表示されたインターネット検索エンジンがウェブページに与えた評価値を画面上のピクセル情報を取得することによって読み取り、取得した評価値を記憶装置に格納する。
【発明の効果】
【０００５】  本発明によりウェブページの評価値の取得作業を自動化することができ、多数のウェブページの評価値を短い時間で調査することが可能である。インターネット広告を掲載するウェブページの候補が多数あるとき、それらウェブページの評価値を従来よりも容易に調査できることにより、評価値の大きなウェブページに優先してインターネット広告を掲載することが可能となり、インターネット検索エンジン上位表示の高い効果が期待できる。
【発明を実施するための最良の形態】
【０００６】  評価値を調査するウェブページのＵＲＬを記憶装置から取得し、インターネットブラウザを起動し、指定されたウェブページをインターネットブラウザに表示させ、インターネットブラウザ上に表示されたインターネット検索エンジンがウェブページに与えた評価値を画面上のピクセル情報を取得することによって読み取り、取得した評価値を記憶装置に格納する。
(57)【要約】【課題】  求人をする際の手段を合理化し、閉塞性を、流動化、活性化するのを目的とする【解決手段】  本発明のシステムのサ−バ−上にインスト−ルしている求人されている側としている側が相互に選択する権利を有しオンライン上で自由に閲覧でき、これにより互いのチャンスを有し時間的物理的な要因を最大限排除しているので自動的に選択でき可能性が生まれるので、相互に従属性がなく閲覧して選択交渉が自由にできるシステムである。【選択図】    図１
2006302051.tif 000002
【特許請求の範囲】
【請求項１】
求人登録する側と求人登録される側が、このシステムのオンライン上で閲覧できて、一定の条件を有する求人する側とされる側に於いて、相互において選択されるという従属的なことでなく、対等の立場で交渉できるシステムである。
【請求項２】
求人登録しているだけで、相互が自由に選択、交渉を行使でき、アクセスでき、相互に於いて、相手を自由選択するという可能性を自動的に付加、付与されているシステムである。
【発明の詳細な説明】
【技術分野】
【０００１】
本発明は、ひとつの業界内において、ある条件を有する求人をサポ−トする求人システムである。
【背景技術】
【０００２】
従来求人する時、求人の媒体を見て、応募して結果を待つというシステムであった。
【発明の開示】
【発明が解決しようとする課題】
【０００３】
解決しようとする問題点は、自由に求人クライアントが求人される側と交渉できず求人を待つという受動的なところ,コンタクトをとるために応募する、更に書類を審査する、面接するこのような形式的なことがあること、また、時間が費やされることが問題点である。
【課題を解決するための手段】
【０００４】
本発明は、求人クライアントが求人される側と、求人クライアントが求人を待つという時間的なこと、一方通行的で受動的なことが、ＢＳＳのサ−バ−上で、お互い自由に選択、交渉できる点が、特徴である。
【発明の効果】
【０００５】
本発明は、ＢＳＳのサ−バ−上に求人クライアント、求人される側が登録表記されているので、自由に交渉、選択できる利点がある。
【発明を実施するための最良の形態】
【０００６】
サ−バ−上に安全保護のため個人的プライベ−トな情報は除き、相互の詳細な条件、内容、概要がインスト−ル登録が自動化できて、誰でも登録できる形態である。
【実施例】
【０００７】
求人クライアントと求人される側がサ−バ−にインスト−ルして、相互の詳細な内容を登録している項目を、閲覧でき、求人する、求人されるに関係なく選択して、交渉する相手に直接にアクセスして、自由に情報交換、交渉ができる。
【産業上の利用可能性】
【０００８】
仕事をするという基本的なことにおいて、ある条件を所有する求人と求人クライアントが、相互間において、求人する、求人されるという環境条件でなく、相互の関係が容易に図れることができ、選択、交渉が継続されていくことができ、登録している全ての利用者において、誰もが閲覧して、交渉できることは、サ−バ−上に登録するという明確な目的は、よりよい人材を獲得するためであり、このシステムを活用することによって、同じ条件下において、正当かつ公正、公平に個々に自動的に機会が付加、付与されるシステムであり、更に24時間サ−バ−がオンライン化しているので、求人業において、流動化、活性化につながり、このシステムは、マイスタ−的（専門職的）要素が有しているので、需要を望んでいる一般ユ−ザ−にも役立ち、全ての業種、業界に役立つものです。
【図面の簡単な説明】
【０００９】
【図１】本発明のシステムの概要図。
【図１】
2006302051.tif 000003
(57)【要約】【課題】コンパクトディスクを手軽で安全に破壊することができる機具を提案する。【解決手段】コンパクトディスクを本発明品に入れると、両面から抑えられる事になりコンパクトディスクの弾力性が小さくなる。そのため、内側に折り曲げると簡単に割ることが出来る。【選択図】  図１
2006302477.tif 000002
【特許請求の範囲】
【請求項１】
コンパクトディスクを両面から挟む事で弾力性を小さくし、割りやすいようにした事を特徴とするコンパクトディスク破壊機具及び機械。
【発明の詳細な説明】
【技術分野】
【０００１】本発明品はコンパクトディスクを物理的に破壊することで、安全に破棄することを目的とするものである。
【背景技術】
【０００２】従来の処分方法ではコンパクトディスクをハサミで切断、またはシュレッダー方式の処分方法がある。
【発明の開示】
【発明が解決しようとする課題】
【０００３】コンパクトディスクを破棄する際、手軽で安全に処分する方法。
【解決手段】
【０００４】コンパクトディスクを本発明品に入れると、両面から抑えられる事になりコンパクトディスクの弾力性が小さくなる。
そのため、内側に折り曲げると簡単に割ることが出来る。
【発明の効果】
【０００５】従来の処分方法にくらべ、手軽なうえ安全である。
またコンパクトな形なので場所も取らない。
【発明を実地する為の最良の形態】
【０００６】本発明品にディスクを入れ、内側に折り曲げると簡単に割れる。
【図面の簡単な説明】
【０００７】
【図１】    コンパクトディスク用破壊機具を示した平面図
【図２】    コンパクトディスク用破壊機具を示した正面図
【符号の説明】
【０００８】１  コンパクトディスク
２  コンパクトディスク破壊機具
【図１】
2006302477.tif 000003
【図２】
2006302477.tif 000004
(57)【要約】【課題】  半導体ウェハーの製造プロセスにおいて使用されるダイシング時に発生するチッピングの進行を抑制することが出来るダイシング方法を提供する。【解決手段】  ウェハーの回路構成面のスクライブラインの少なくとも片側に帯状の膜を一本ないし複数本設けることを特徴とする。【選択図】        図１
2006302939.tif 000002
【特許請求の範囲】
【請求項１】
半導体ウェハーのダイシング方法においてウェハーの回路構成面のスクライブラインの少なくとも片側に帯び状の膜を一本あるいは複数設ける事を特徴とした半導体ウェハーのダイシング方法。
【請求項２】
請求項１で形成される膜が無機膜である事を特徴とする半導体ウェハーのダイシング方法。
【請求項３】
請求項１で形成される膜が有機膜である事を特徴とする半導体ウェハーのダイシング方法。
【発明の詳細な説明】
【技術分野】
【０００１】
本発明は半導体ウェハーの製造プロセスにおいて使用されるダイシング時に発生するチッピングの進行を抑制する事を特徴としたダイシング方法に関するものである。
【背景技術】
【０００２】
半導体ウェハーの製造プロセスにおいては素子形成が完了した半導体ウェハーを個々のチップに分離するためにダイシングが行われる。このダイシングはダイシングソーを用いて切断する事によりおこなわれる。
【０００３】
以下に従来のダイシング方法について、図２Ａに示したスクライブライン付近の断面図を参照して説明する。
【０００４】
これは、半導体ウェハー１の上に半導体素子２が形成され、隣接する半導体素子２．２の間にスクライブライン３が形成された構造であり、ダイヤモンドブレ−ド４を高速回転で移動しながらスクライブライン３のほぼ中央をダイシングする事により多数の半導体チップに分割される。
【特許文献１】特開平０５−００３２４９号公報
【発明の開示】
【発明が解決しようとする課題】
【０００５】
しかしながら、図２Ｂに示すようにダイヤモンドブレード４を高速回転で移動しながら半導体ウェハー１をダイシングした場合、ダイヤモンドブレード４の衝撃によりチッピングが発生し、このチッピングが半導体素子２まで達すると不良となってしまう。
【０００６】
本発明は、ダイヤモンドブレードを高速回転で移動しながらスクライブラインを切断したとき発生するチッピングの進行を抑制することが出来る半導体ウェハーのダイシング方法を提供する事を目的とするものである。
【課題を解決するための手段】
【０００７】
本発明の半導体ウェハーのダイシング方法はスクライブラインの両側部に膜の壁を何層かに分け設けることで膜の境界部にてチッピングの進行を抑制するものである。
【０００８】
このようにすれば、チッピングを発生させている応力の進行を膜の壁で吸収もしくは緩和させチッピングの抑制を図ることができる。
【０００９】
すなわち本発明は、半導体ウェハーのダイシング方法においてウェハーの回路構成面のスクライブラインの少なくとも片側に帯び状の膜を一本あるいは複数設ける事を特徴とした半導体ウェハーのダイシング方法である。
【発明の効果】
【００１０】
半導体ウェハーの製造プロセスにおいて使用されるダイシング時に発生するチッピングの進行を抑制することが出来る。
【発明を実施するための最良の形態】
【００１１】
以下本発明を実施するための最良の形態を、実施例により詳しく説明する。
【実施例】
【００１２】
本発明の半導体ウェハーのダイシング方法の実施例について図１Ａのスクライブライン付近の断面図を参照しながら説明する。
【００１３】
これは、半導体ウェハー１の上に半導体素子２が形成され隣接する半導体素子２の間にスクライブライン３が形成されている。このスクライブライン３の両側部にダイヤモンドブレ−ド４に接触せずなおかつダイヤモンドブレ−ド４に近い位置に膜の壁５を何層かにわけ設けるものである。
【００１４】
本実施例の半導体ウェハーのダイシング方法において、ダイシングによる影響について以下に説明する。
【００１５】
図１Ｂは図１Ａのスクライブラインをダイシングした時の様子を示したものである。ダイヤモンドブレ−ド４を高速回転で移動しながら半導体ウェハー１をダイシングした時チッピングが発生しても膜の壁５が半導体ウェハー１に密着している為、チッピングが進行しようとする応力を吸収もしくは緩和させる事ができる。もし一層目で吸収もしくは緩和しきれなくても、二層、三層と多層に設ける事で、今まで防げなかった突発的に発生するチッピング等も抑制可能となり、その結果、不良の低減が図れる。
【図面の簡単な説明】
【００１６】
【図１】本発明の半導体ウェハーのダイシング方法を示す図
【図２】従来の半導体ウェハーのダイシング方法を示す図
【符号の説明】
【００１７】
１  半導体ウェハー
２  半導体素子
３  スクライブライン
４  ダイヤモンドブレード
５  膜
【図１】
2006302939.tif 000003
【図２】
2006302939.tif 000004
(57)【要約】【課題】一般の人々が、限られた地域の公的かつ生活上必要な情報を、簡単な方法で、すばやく、かつ、正確に手に入れることが出来るようにすること。【解決手段】限られた地域の公的かつ生活上必要な情報を、多段階的に集め、それらの情報の全体的なコントロール用の、サーバーを設置し、それらの情報は、パソコン、モバイル、ＴＶ等で、接続できるようにする。その接続の手段として、２次元バーコードを利用する。【選択図】    図１
2006302238.tif 000002
【特許請求の範囲】
【請求項１】
限られた地域の、公的かつ生活上必要な情報を多段階的管理サーバーを利用することで、早期伝達を可能とするビジネスモデル。
【請求項２】
地域の公的かつ生活上必要な情報の公開手段として、二次元バーコードを利用する。
【発明の詳細な説明】
【技術分野】
【０００１】本発明は、二次元バーコードを認識出来る、通信機器に関する。
【背景技術】
【０００２】現在、人々が生活している地域の情報を、手に入れる手段として最も早い方法は、インターネット上での、ホームページの検索である。
【発明の開示】
【発明が解決しようとする課題】
【０００３】役所や病院、警察といった公的機関の情報を、ホームページ上で検索する場合、非常に面倒である。
総合的な情報を、簡単に入手できることが望ましい。
【課題を解決するための手段】
【０００４】上記の目的を達成する為に、公的機関のホームページを集めた管理的サーバーを設置し、二次元バーコードを認識できる移動通体のホームページを利用する。【０００５】ホームページの認識手段として、二次元バーコードを、移動通信体（カメラ付）で読むことで、正確な公的地域情報をすばやく、得ることができる。
【発明の効果】
【０００６】個々の公的機関の情報の、入手の為のホームページの検索は、面倒であり、総合的なホームページが存在することで、便利になる。２次元バーコードを移動通信体（カメラ付）で読むことで、より便利になる。
【発明を実施するための最良の形態】
【０００７】以下、本発明の実施の形態を図面に基づき詳細に説明する。【０００８】管理サーバー上に、公的機関のホームページを集める。【０００９】公的機関の情報が必要な人は、パソコン１で、管理サーバーにアクセスし、情報を手に入れる方法と、移動通信体（カメラ付）２で、２次元バーコードを読むことで、アクセスし、情報を入手する方法がある。
【図面の簡単な説明】
【００１０】
【図１】本発明の実施の形態に係る情報の流れである。
【図１】
2006302238.tif 000003
(57)【要約】      （修正有）【課題】パーソナルコンピューターのマウスを使用して、ディスプレイ上で版画制作が出来るソフトウェアを提供する。【解決手段】パーソナルコンピューターのマウスを制御することで、マウスを彫刻刀代わりに利用し、危険もなく場所を汚すこともなく版画作成が可能になる。【選択図】図１
2006302226.tif 000002
【特許請求の範囲】
【請求項１】
コンピュータのマウスやペン等の入力機器に、版画の彫刻刀の機能を持たせて、コンピューターで版画制作を可能にするソフトウェアである。単体で版画作成ソフトウェアとして使用したり、年賀状ソフト等のバンドルとして利用できる。
【発明の詳細な説明】
【技術分野】
【０００１】本発明は、パーソナルコンピューターのマウスを使用して、ディスプレイ上で版画制作が出来るソフトウェアに関するものである。
【背景技術】
【０００２】従来、版画は版木に下絵を描き反転させ、彫刻刀で彫り、絵具をつけて紙に写すものであった。
【発明の開示】
【発明が解決しようとする課題】
【０００３】版画を作ろうとするとき、次のような問題があった。
準備する道具が多数必要となり、また作業する場所も散らかる。刃物を使用するので危険も伴う。
本発明は、以上の問題点を解決し、道具はパーソナルコンピューターとマウス（ペン入力装置も含む）だけで、場所を汚すこともなく危険もなく、版画制作ができるようになされたものである。また一度で多色摺りも可能。
【課題を解決するための手段】
【０００４】マウス（ペン入力装置も含む）のボタン操作を制御するソフトウェアを開発することで、マウスの動きが彫刻刀の動きを実現する。マウスボタンのタッチ時間の長さで彫りの深さを制御し、マウスの移動距離で彫りの長さを制御する。
パーソナルコンピューターのディスプレイ上で版木のサイズを選び、絵画ソフトやデジタルカメラ、スキャナー等で版画に使う下絵を作成し、選んだ版木に貼り付ける。版画の仕組みを再現させるために下絵を反転させるモードも準備する。
彫りは、カーソルキー等で版木を動かしながらマウス操作で彫り進める。
彫りの失敗等は、消しゴム機能等で何度も掘り直しが可能。
彫り終われば、摺り後の出来がディスプレイ上で見られる。
マウス操作に摺りの強弱を加減するバレン機能も準備する。
プリンターでプリントアウトすれば版画が完成する。白黒版画だけではなく、一度で多色摺りも可能。
【発明の効果】
【０００５】本発明を使用することで、版画の流れ・仕組みを理解できることと、危険もなく、散らかすこともなく版画作成が可能。年賀状にもオリジナル性が出せる。
【発明を実施するための最良の形態】
【０００６】以下、本発明の実施の形態を説明する。
本発明はパーソナルコンピューターのソフトウェアである。
マウスを制御することで、マウスを彫刻刀のように操作でき白黒版画から多色摺り版画まで制作することが出来る。
本発明を使用するときは、
（１）本発明のソフトウェアをパーソナルコンピューターにインストールし立ち上げる。
（２）版木を選択する。版木は基本的に葉書サイズからＡ４サイズまでを準備。
（３）下絵を準備する。絵画ソフトで描いても、参考にするものをスキャナーで取り込んでも可能。またデジタルカメラで撮影したものを利用するのも可能。
基本モードでは、使用する絵（写真）を反転させて版木に貼り付ける。反転させないで彫ることも出来る。
（４）用途に応じ彫刻刀を選び、彫り進める。マウスボタンのタッチの時間の長さ、マウスの移動距離で深く浅く、長く短く等細かな調整がきく。
（５）彫り間違いは何度でも消しゴム機能で修正が可能。
ディスプレイ上の版木はカーソルキー等で自由に動かすことが出来、よりスムーズに版画制作が可能になる。
（６）彫り終わった版木に絵画ソフトで彩色し、ディスプレイ上で紙をのせ、バレン機能を利用して、マウスのタッチ時間の長さで、バレンの強弱を選択し、プリンターでプリントアウトする。
【図面の簡単な説明】
【０００７】
【図１】本発明の斜視図
【符号の説明】
【０００８】（１）彫刻刀（ディスプレイ内）、（２）マウス
【図１】
2006302226.tif 000003
(57)【要約】【課題】従来のデジタルデータの保存及び受渡し方法はハードディスク・フロッピーディスク・ＣＤ・ＤＶＤなどの電子記憶媒体を用いて保存または受渡しをおこなうのが一般的である。特に秘密性の高いデジタルデータの保存や持ち歩く際の紛失や盗難にそなえて、容易に内容の判読ができないデジタルデータ以外の形にすることで機密漏洩のリスクが少なくすること。および、デジタルデータを印刷物として保存することが目的である。【解決手段】デジタルデータを二次元バーコードとして紙に印刷することで、デジタルデータの保存や持ち歩く際の紛失や盗難などの機密漏洩のリスクを少なくすることができる。【特許請求の範囲】
【請求項１】
デジタルデータの保存方法
【発明の詳細な説明】
【技術分野】
【０００１】本発明は、デジタルデータの保存及び受渡し方法に関するものである。
【背景技術】
【０００２】従来のデジタルデータの保存及び受渡し方法はハードディスク・フロッピーディスク・ＣＤ・ＤＶＤなどの電子記憶媒体を用いて保存または受渡しをおこなうのが一般的である。
【発明の開示】
【発明が解決しようとする課題】
【０００３】解決しようとする問題点は、特に秘密性の高いデジタルデータの保存や持ち歩く際の紛失、盗難にそなえて、容易に内容の判読ができないデジタルデータ以外の形にすることで機密漏洩のリスクを少なくすること。および、デジタルデータを印刷物として保存することが目的である。
【課題を解決するための手段】
【０００４】本発明は、上記目的を達成するために、デジタルデータを二次元バーコードとして印刷し、紙で保存及び受渡しをおこなう。【０００５】二次元バーコードを記載した紙をバーコードリーダ又はスキャナでコンピュータに取り込み、デジタルデータして、利用することができる。【０００６】バーコードを記載した紙でデータ保存することにより、バーコードが汚れたり、紙が破れたりなど、データの壊れた状態を目視で確認することができる。【００７】全てのデジタルデータをバーコード化することが出来る為、汎用性が高い。
【発明の効果】
【００８】上述したように本発明のデジタルデータを二次元バーコードとして紙に印刷することで、デジタルデータの保存や持ち歩く際の紛失や盗難にそなえての機密漏洩のリスクを少なくすることができる。【００９】重要なデジタルデータを二次元バーコードとして紙に印刷し保存することで、磁気媒体よりも長期間保存が可能になる。【００１０】パソコンのアプリケーションで用いる秘密性の高い基礎データや個人情報を二次元バーコードとして紙で保存し、パソコン内には保存しない方法により、機密漏洩のリスクを少なくすることができる。
【発明を実施するための最良の形態】
【００１１】たとえば、個人情報や単価などの秘密性の高い情報は暗号化処理後、二次元バーコード画像変換後、紙に印刷します。【００１２】バーコード化された、デジタルデータはその都度、バーコードリーダ又はスキャナでパソコンに取り込み、デジタルデータとして、必要なアプリケーションで利用します。
(57)【要約】【課題】ノートパソコンは内部で発生した熱が、ノートパソコンの構造上内部に熱がこもりやすく、そのため使用時にノートパソコン本体が熱をもち、これにより、ノートパソコン本体内部の温度上昇が原因による内部機器等のトラブルの軽減。また、１３のアームレスト、１４のキーボード等の温度上昇、冷却用ファンの騒音等の不快感があった。【解決手段】ノートパソコンの下部に水冷式の冷却置台１を置く。この冷却置台に、熱交換器３，４を設け内部を冷却水を循環させノートパソコン内部およびノートパソコン本体の温度上昇の緩和をはかるものである。また、冷却装置を別に設置することで、冷却用ファンの騒音の軽減にもなる。【選択図】図１
2006302223.tif 000002
【特許請求の範囲】
【請求項１】
ノートパンコン使用時にパソコン内部機器の発熱により、ノートパソコン本体の発熱を緩和する水冷式の熱交換装置を設けたことを特徴とする水冷式ノートパソコン冷却置台である。
【請求項２】
前記の冷却台に熱交換器を２つ設けそれぞれを冷却水循環用ホースで結び、各熱交換器の下に５の接着テープ付きクション材を設置し、各ノートパソコン販売会社等で異なる位置の発熱部位に熱交換器を容易に配置できる。また、５のクション材の反発作用を利用して発熱部との密着性を高め、これにより熱交換率を高めたことを特徴とする請求項１記載の水冷式ノートパソコン冷却置台である。
【請求項３】
熱交換をした冷却水を冷却するための装置を別ユニットとしたことにより、大きさ、形等の制約がなくなり、より効率の良い熱交換器を設置可能になった。そして、ノートパソコンの置台を小型化することが可能。また、冷却装置内ファン等の騒音対策にもなることを特徴とする請求項１記載の水冷式ノートパンコン冷却置台である。
【発明の詳細な説明】
【技術分野】
【０００１】  この発明は、ノートパソコンの内部機器等の発熱によるノートパソコン本体および内部の温度上昇対策に関する。
【技術背景】
【０００２】  従来のノートパソコン冷却置台方式は、図４の１１で示すように、１５の空冷用電気式モータファンの付いた置台である。
【特許文献１】２００２−２１５２７１
【発明の開示】
【発明が解決しようとする課題】
【０００３】  しかしながら、以上の技術によれば、空冷ファンに送る空気の温度がノートパソコン使用場所の室温に依存するために効率のよい冷却力が得られなかった。つまり、ノートパソコンの発熱部の下に空気の通路を通しただけなので、十分な熱交換ができなかった。
そこで、この発明は、ノートパソコン下部の発熱部の所に水冷式の熱交換器設置をし、ノートパソコン内部および本体の温度上昇の軽減を提供することを課題とする。
【課題を解決するための手段】
【０００４】  以上の課題を解決するために、第一発明は、ノートパソコン使用時にパソコン内部機器の発熱により、ノートパンコン本体の発熱を緩和する水冷式の熱交換装置を設けたことを特徴とする水冷式ノートパソコン冷却置台である。
また、第二発明は、前記の冷却台に熱交換器を２つ設けそれぞれを冷却水循環用ホースで結び、各熱交換器の下に５の接着テープ付きクション材を設置し、ノートパソコン販売会社等で異なる位置の発熱部位に熱交換器を容易に配置できる。また、５のクション材の反発作用を利用して発熱部との密着性を高め、これにより熱交換率を高めたことを特徴とする水冷式冷ノートパソコン却置台である。
また、第三の発明は、熱交換をした冷却水を冷却するための装置を別ユニットとしたことにより、より効率のいい熱交換器を設置可能になった。そして、ノートパソコンの置台を小型化することが可能。また、冷却装置内ファン等の騒音対策にもなることを特徴とする水冷式ノートパソコン冷却置台である。
【発明の効果】
【０００５】  第一発明、第二発明、第三の発明によれば、ノートパソコンの下に水冷式冷却置台を設置することで、ノートパソコン本体の発熱を緩和することにより、ノートパソコン内部の温度を下げ、内部温度上昇が原因で発生する可能性のあるノートパソコン内部機器等のトラブルの軽減。また、ノートパソコン使用時の１３のアームレスト、１４のキーボード等の温度上昇による不快感の軽減につながる。また、冷却装置を外部に置いたため、暖まった冷却水のより良い熱交換。および、熱交換器冷却用ファンの騒音対策なる。
【発明を実施するための最良の形態】
【０００６】  この実施形態を、図２に示す。
ノートパソコン冷却置台本体に金属製の熱交換器３，４を設け、それぞれを６の冷却水循環用ホースで連結をし、それぞれの別の所に冷却水の流入口１６および排水口１７を設ける。この熱交換器３，４の上部部分がノートパソコンの発熱部と接触をし、３，４の熱交換器内の冷却水と熱交換をし、暖まった冷却水が冷却水循環用ホースを通って冷却水熱交換装置７に入り熱交換器および、８の熱交換器用ファンの作用によって冷却水が冷却され１０の冷却水タンクへと送られる。そして、９の冷却水用循環ポンプにより６の冷却水循環用ホースを通って熱交換器３，４へと送られる。【０００７】「実施形態の効果」
この実施形態によれば、冷却台の熱交換器の作用により、ノートパソコンの発熱の緩和および、１３のアームレスト、１４のキーボード等の発熱による不快感の緩和になる。また、発熱の緩和により熱が原因でおこるノートパソコン内部のトラブル等の軽減にもなる。そして、冷却装置を別ユニットとしたため、冷却置台の小型化および、熱交換器用ファン、冷却水循環用ポンプの音による不快感の軽減にもなっている。
【図面の簡単な説明】
【０００８】
【図１】この発明の一実施形態を示す斜視図である。
【図２】装置の配置図
【図３】冷却装置側面図
【図４】従来技術を示し斜視図である。
【符号の説明】
【０００９】１  冷却置台本体
２  冷却水熱交換装置
３  熱交換器
４  熱交換器
５  接着テープ付きクッション材
６  冷却水循環用ホース
７  熱交換器
８  熱交換器用電気モータファン
９  冷却水用循環ポンプ
１０  冷却水タンク
１１  従来のタイプ
１２  ノートパソコン
１３  アームレスト
１４  キーボード
１５  空冷用電気式モータファン
１６  冷却水流入口
１７  冷却水排水口
【図１】
2006302223.tif 000003
【図２】
2006302223.tif 000004
【図３】
2006302223.tif 000005
【図４】
2006302223.tif 000006
(57)【要約】      （修正有）【課題】  本発明が解決しようとする課題は、消費電力が少ない発光ダイオードを使用し、明るく照度が高い投光能力の大きな発光ダイオード電球を提供することである。【解決手段】本発明は、複数個の発光ダイオード３の光軸を同一方向にほぼ平行になるように配置して光源とし、レンズ４を各発光ダイオードの光軸上の焦点近傍に配置する。各発光ダイオードの後方から各光軸上のレンズまでを異型回転軸外放物面鏡（もしくは円錐内面鏡等）で包み込んで他のレンズへの光の漏入が起こさせないので虚像が発生せずにほぼ同一地点に放射光を重複照射させる事を特徴とする。【選択図】図１
2006302726.tif 000002
【特許請求の範囲】
【請求項１】
複数個の発光ダイオードの光軸を同一方向にほぼ平行になるように配置して光源とし、レンズを各発光ダイオードの光軸上の焦点近傍に配置する。各発光ダイオードの後方から各光軸上のレンズまでを異型回転軸外放物面鏡（もしくは円錐内面鏡等）で包み込んで    他のレンズへの光の漏入が起こさせないので虚像が発生せずにほぼ同一地点に放射光を  重複照射させる事を特徴とする重複放射型発光ダイオード電球。
【発明の詳細な説明】
【技術分野】
【０００１】
本発明は、複数個の発光ダイオードを光源とした重複放射型発光ダイオード電球に関する。
【背景技術】
【０００２】
近年、省電力で発熱のなく輝度の高い発光ダイオードを使用した照明装置も色々考案されている。発光ダイオードの進歩は著しいが、発光ダイオードを複数個使用した電球においては、５ｍの距離で１０ルクスの明るさを計測できる発光ダイオード電球は販売されていない。
【発明の開示】
【発明が解決しようとする課題】
【０００３】
本発明が解決しようとする課題は、従来の発光ダイオード電球の照明能力は極めて少なく５m程度先の物体にも照射ができなかった。光量を得るために複数個のレンズに向けて発光ダイオード発光させると、光軸上のレンズ以外のレンズにも放射光の漏れによる虚像が発生する為、７個のレンズと７個の発光ダイオード使用すると実像・虚像合わせて４９の像が発生し使用不可能な事態が起こる。
【課題を解決するための手段】
【０００４】
光軸上のレンズ以外のレンズによる放射光の漏れのために発生する虚像を無くす為には各発光ダイオードの放射光を光軸上のレンズ以外に漏れないようにパイプ等の仕切り板で区切ると虚像は発生しない。そして、各発光ダイオードの設置距離分ずれて像は発生する。
【発明の効果】
【０００５】
本発明の重複放射型発光ダイオード電球は、複数個の発光ダイオードの光軸を同一方向にほぼ平行になるように配置して光源とし、レンズを各発光ダイオードの光軸上の焦点近傍に配置する。各発光ダイオードの後方から各光軸上のレンズまでの間を異型回転軸外  放物面鏡（もしくは円錐内面鏡等）で包み込んで他のレンズへの光の漏入が起こさせないので虚像が発生せずにほぼ同一地点に放射光を重複照射させる事を特徴とするので、照度計から５ｍの距離を開けて発光ダイオード１９球を使用した  本発明の電球の照度を計測すると直径４０センチ程度の照射面積のスポット照明ではあったが、最高数値で１８４ルクスを計測した。また、発光ダイオード７球使用の電球でも同距離で７１ルクスを計測した。わずか２Ｗにも満たない微弱な電力で３００Ｗの投光器と同等の照度を得ることを可能にした。
【発明を実施するための最良の形態】
【０００６】
本発明の重複放射型発光ダイオード電球は、複数個の発光ダイオードの光軸を同一方向にほぼ平行になるように配置する。レンズを各発光ダイオードの光軸上の焦点近傍に配置する。各発光ダイオードの後方から各光軸上のレンズまでを異型回転軸外放物面鏡（もしくは円錐内面鏡等）を配置することにより、側方への光の漏れが無く前方への照射能力がアップする。また、レンズを焦点位置からずらすことや、倍率を変えること、複数のレンズを使用することで照度は低下するが広角照射を行うことも可能である。また、複数の    レンズを使用することで照射光を近平行光線化させて長距離照射を行う事も可能である。
【実施例】
【０００７】
以下、本発明の実施例について図面を用いて説明する。
図１に示す本発明の試作電球においては、本体１に取り付けられた口金２による通電で複数個の発光ダイオード３の光軸５が同一方向にほぼ平行になるように配置されており、光軸５上のレンズ４の焦点近傍に設置する。また、発光ダイオード３の後方からレンズ４まで、他のレンズ４への光漏れを防ぎ、前方への放射光１０の量を増加させる為に異型回転軸外放物面鏡（もしくは円錐内面鏡等）６を設置した縦断面説明図ある。
【０００８】
図２に示す本発明の電球においては、各発光ダイオード３に対し複数のレンズ４を組み合わせて使用することで近平行光７を作り出し長距離照射可能な大型の電球の構造であり、車両のヘッドライトや投光器・通信用光源用の電球である。
【０００９】
図３に示す図は、本発明の構造を生かした懐中電灯の図である。懐中電灯本体８に取り付けられ電池（もしくはバッテリー）９による通電で複数個の発光ダイオード３が発光し、光軸５上のレンズ４により放射光１０は重複照射される。異型回転軸外放物面鏡（もしくは円錐内面鏡等）６により光軸上のレンズ４以外には放射光１０は照射されない。
【産業上の利用可能性】
【００１０】
本発明の複数個の発光ダイオードを光源とした重複放射型発光ダイオード電球は、消費電力が極めて微弱なので一般電球，懐中電灯，車両用ヘッドライト，探照灯，船舶用通信灯や室内外用照明灯など多方面に利用が出来る。また、無電力地域でも小型ソーラーパネル等に接続するだけで安易に使用可能となる。
【００１１】
また、上記の構造によりグリップ部分が直径３ｃｍ以下で発光ダイオードを３７個使用した３W弱の懐中電灯１つで高額な設備を要する設置式サーチライトと同等の性能で  女性が片手で取り扱えるハンディで高性能な懐中電灯を提供できる。
【図面の簡単な説明】
【００１２】
【図１】本発明の縦断面説明図である。
【図２】長距離照射可能な大型の電球の構造説明図である。
【図３】本発明の構造を生かした懐中電灯の図である。
【符号の説明】
【００１３】
１    本体
２    口金
３    発光ダイオード
４    レンズ
５    光軸
６    異型回転軸外放物面鏡（もしくは円錐内面鏡等）
７    近平行光
８    懐中電灯本体
９    電池（もしくはバッテリー）
１０  放射光
【図１】
2006302726.tif 000003
【図２】
2006302726.tif 000004
【図３】
2006302726.tif 000005
(57)【要約】【課題】  アマルガム部の温度低下を抑えることができる照明器具を提供する。【解決手段】ランプソケット６は、ランプ発光部１８および口金部１６を有し、口金部１６にアマルガム部１７が設けられた蛍光ランプ１５を装着するものであって、口金部１６が上側となりランプ発光部１８が下側となる略鉛直姿勢に蛍光ランプ１８を保持する。器具本体１は、下面開口部９を有して下面開口部９の上方にランプソケット６を取付けている。反射鏡１３は、器具本体１に配置されて口金部１６を覆わないようにランプ発光部１８を覆っている。透光パネル１２は、器具本体１の下面開口部９に設けられている。  【選択図】        図１
2006302797.tif 000002
【特許請求の範囲】
【請求項１】
ランプ発光部および口金部を有し前記口金部にアマルガム部が設けられた片口金ランプを装着するものであって、前記口金部が上側となり前記ランプ発光部が下側となる略鉛直姿勢に前記片口金ランプを保持するランプソケットと、下面開口部を有して前記下面開口部の上方に前記ランプソケットを取付けた器具本体と、この器具本体に配置されて前記口金部を覆わないように前記ランプ発光部を覆った反射鏡と、前記器具本体の前記下面開口部に設けられた透光パネルとを備えた照明器具。  
【発明の詳細な説明】
【技術分野】
【０００１】
この発明は、口金部にアマルガムを有する片口金ランプに使用する照明器具に関するものである。
【背景技術】
【０００２】
従来の最冷点方式の片口金蛍光ランプを使用した照明器具を図２に示す。この照明器具はいわゆるダウンライトであり、３０は天井に設けた埋め込み穴に挿入して取付けられる器具本体、３１は枠、３２は透光パネル、３３は反射鏡、３４は補助反射鏡、３５はランプソケット、３６は点灯装置、３７は片口金蛍光ランプである。
【０００３】
別の従来例（例えば特許文献１参照）は、口金部に水銀蒸気供給源であるアマルガム部が設けられた片口金蛍光ランプのランプ軸を垂直にしたランプソケットと、下面開口部を有して片口金蛍光ランプを装着するランプソケットを取付けた器具本体と、片口金蛍光ランプを取り囲んで配設される反射板とを備えた照明器具があった。
【特許文献１】特開２００３−２７２４３６公報
【発明の開示】
【発明が解決しようとする課題】
【０００４】
従来の最冷点方式片口金蛍光ランプ３７を使用し、器具本体３０の下面開口部に透光パネル３２を設けた照明器具においては、ランプ最冷点の温度が高くなりランプの発光効率が落ちてしまうという課題があった。これに対して、片口金蛍光ランプ３７を覆っている反射鏡３３に放熱穴などランプ最冷点の温度低減策を施すことにより発光効率の改善を行うことが考えられたが、反射面積が小さくなり器具光束が下がった。
【０００５】
別の従来例は、下面開口部より口金部のアマルガム部の近傍を流れる空気によりアマルガム部が急激に冷され、ランプの発光効率が低下した。このため、口金カバーでアマルガム部を流れる空気の量を低減していたが、別に口金カバーを設ける必要があった。
【０００６】
したがって、この発明の目的は、アマルガム部を有する片口金ランプを使用する場合にアマルガム部の温度低減のために口金カバーを設けることなく、既存の部品を用いてアマルガム部の温度低下を抑えることができる照明器具を提供することである。
【課題を解決するための手段】
【０００７】
この発明の照明器具は、ランプソケットが、ランプ発光部および口金部を有し前記口金部にアマルガム部が設けられた片口金ランプを装着するものであって、前記口金部が上側となり前記ランプ発光部が下側となる略鉛直姿勢に前記片口金ランプを保持する。器具本体は、下面開口部を有して前記下面開口部の上方に前記ランプソケットを取付けている。反射鏡は、器具本体に配置されて前記口金部を覆わないように前記ランプ発光部を覆っている。透光パネルは、前記器具本体の前記下面開口部に設けられている。
【発明の効果】
【０００８】
この発明の照明器具によれば、器具本体の下面開口部を通してアマルガム部の近傍を流れる空気を透光パネルにより遮断することができ、これによりアマルガム部の温度低下を防止でき、ランプ特性を安定化し照度を一定に保つことができる。また口金部を反射鏡で覆わないためランプからの発熱が反射鏡内で高い温度で飽和してもアマルガム部の温度に影響がない。
【発明を実施するための最良の形態】
【０００９】
この発明の一実施の形態の照明器具を図１により説明する。すなわち、この照明器具は、器具本体１が天井の埋め込み穴（図示せず）に挿入される筒形であり、側面に形成したスリット２に天井取付具（図示せず）を設け、下端に係止つば３を設け、係止つば３を埋め込み穴の下側縁部に係止し、天井の裏面に天井取付具を係止して器具本体１を天井に取付けている。また器具本体１の上端部より上方に一対の支柱４が立ち、支柱４の上端部に天板５が水平に延びている。一対の支柱４の間で天板５の下面にランプソケット６が下向きに取付けられ、天板５の延長端側の下面に点灯装置７や端子台８が取付けられている。一方器具本体１の下面開口部９に枠１０を枠取付ばね１１により取付け、枠１０の内側に透光パネル１２を載せ、透光パネル１２の上側に反射鏡１３を載せている。また器具本体１の上面にランプソケット６に対向して補助反射鏡１４が設けられている。
【００１０】
片口金ランプ例えば蛍光ランプ１５は、口金部１６にアマルガム部１７が設けられ、口金部１６が上側で蛍光ランプ１５のランプ発光部１８が下側となるようにランプ軸１９を鉛直にした状態にランプソケット６に装着されている。このとき、反射鏡１３および補助反射鏡１４は、ランプソケット６と下面開口部９との間でランプ発光部８を覆い、口金部１６は覆わずに器具本体１の外部に位置している。
【００１１】
この実施の形態によれば、ランプ出力特性に影響する口金部１６内のアマルガム部１７を反射鏡１３の外部に出すとともに、透光パネル１２により器具本体１の下面開口部９を閉じるため、ランプ発光部１８からの発熱により器具本体１内が高い温度で飽和しても、アマルガム部１７の温度に影響なく、ランプ発光効率を高めることが可能である。
【００１２】
また、透光パネル１２を設置することにより天井裏と室内との換気による換気風を防止することにより、口金部１６に設けられたアマルガム部１７の温度低下を防ぎ、照度を一定に保つことが可能である。その結果、最冷点タイプの蛍光ランプを使用するとともに透光パネルを有する照明器具に比べても発光効率が改善される。
【図面の簡単な説明】
【００１３】
【図１】この発明の一実施の形態の半断面側面図である。
【図２】従来例の半断面側面図である。
【符号の説明】
【００１４】
１    器具本体
６    ランプソケット
９    下面開口部
１２    透光パネル    
１３    反射鏡  
１４    補助反射鏡
１５    蛍光ランプ  
１６    口金部    
１７    アマルガム部
１８    ランプ発光部
【図１】
2006302797.tif 000003
【図２】
2006302797.tif 000004
(57)【要約】【課題】  ニオブやモリブデンを主材料とするカップ型放電電極のカップ形状を絞り加工で得る際の傷の発生を防止すること。【解決手段】  ニオブ、モリブデンのいずれかの金属材を主とする冷陰極放電ランプのカップ型放電電極であって、絞り加工で平板４からカップ型に形成する際、平板４の上金型のダイ６に当接する面に予めニッケルメッキ層５を形成して絞り加工を行う。このニッケルメッキ層５の形成により金型の角部で擦る傷の発生および傷による金属粉の発生を防止し、これによりニオブやモリブデンによるカップ型放電電極２の製品価値を高め、また、金型の寿命を延ばすことができる。【選択図】    図１
2006302675.tif 000002
【特許請求の範囲】
【請求項１】
ニオブ、モリブデンのいずれかの金属材を主とする冷陰極放電ランプのカップ型放電電極の製造方法であって、前記金属材からなる平板の少なくとも片面にニッケルメッキ層を形成し、ニッケルメッキ層を形成した平板の表面を下金型のダイに当接し、上金型のパンチを平板の裏面に押し当ててカップ状に絞り加工してなることを特徴とする冷陰極放電ランプ用カップ型放電電極の製造方法。
【請求項２】
ニオブ、モリブデンのいずれかの金属材を主とする冷陰極放電ランプのカップ型放電電極であって、前記カップ型電極の少なくとも外周面にニッケルメッキ層を形成してなる請求項１に記載の製造方法により作成した冷陰極放電ランプ用カップ型放電電極。
【発明の詳細な説明】
【技術分野】
【０００１】
本発明は冷陰極放電ランプ用カップ型放電電極に関するものである。
【背景技術】
【０００２】
液晶パネルのバックライトとして直管型冷陰極放電ランプが使用される場合がある。この場合、冷陰極放電ランプは、図２（本実施例の組立図）に示すように直管型ガラス管１の両側の端部に開口面を対峙させた有底筒状の（以下、カップ型という。）放電電極２が配置され、そのカップ型放電電極２はガラス管１に封入した電極棒３に固定されている。放電電極２を構成する材料として、ニオブおよびモリブデンが最適とされ、場合によってニオブとニッケルの合金などが使用されている。
【０００３】
ところで、このようなカップ型放電電極は、電極を構成する金属板をプレス機の下金型のダイ上に載せ、上金型のパンチを押し当てて絞り加工することによりカップ型に形成する場合がある。この場合、電極を構成する金属板が特にニオブやモリブデンであると、金型の角部に擦れてその金属板に傷が発生し、製品価値を低下するという問題があった。また、その傷により発生した金属粉が特にダイの角部に残留し、つづく絞り加工でその金属粉によりダイの角部が削り取られ下金型の寿命が短いという問題があった。
【発明の開示】
【発明が解決しようとする課題】
【０００４】
本発明が解決しようとする課題は、ニオブやモリブデンを主材料とするカップ型放電電極のカップ形状を絞り加工で得る際の傷の発生を防止し、斯かる問題を解消する点である。
【課題を解決するための手段】
【０００５】
本発明は、ニオブ、モリブデンのいずれかの金属材を主とする冷陰極放電ランプのカップ型放電電極の製造方法であって、前記金属材からなる平板の少なくとも片面にニッケルメッキ層を形成し、ニッケルメッキ層を形成した平板の表面を下金型のダイに当接し、上金型のパンチを平板の裏面に押し当ててカップ状に絞り加工してなることを主要な特徴とする。
【発明の効果】
【０００６】
発明では、カップ型に絞り加工する金属板の少なくとも下金型のダイに当接する表面に、展性・延性に富むニッケルメッキ層を絞り加工する前に形成しているので、その加工に際し金属板を傷付けたり、ダイの損傷を防止することができる。これによりニオブやモリブデンによるカップ型放電電極の製品価値を高め、また、ダイの寿命を延ばすことができる。
【発明を実施するための最良の形態】
【０００７】
ニオブやモリブデンを主材料とするカップ型放電電極のカップ形状を絞り加工で得る際の傷の発生を防止する目的を、絞り加工する金属板にニッケルメッキ層を形成することにより実現した。
【実施例１】
【０００８】
図１は、本発明の実施例に係る冷陰極放電ランプ用カップ型放電電極    の製造工程を示す概略工程図で（ａ）は平面図、（ｂ）は断面図である。図１において、４はニオブ又はモリブデンを主材料とする金属板、５はニッケルメッキ層、６は下金型のダイ、７はノックアウト、８は上金型のパンチ、９はカットラインである。
【０００９】
金属板４は円形状の平板をなし、片側の表面一面にニッケルメッキ層５が形成されている。なお、表裏両面にニッケルメッキ層５を形成してもよい。下金型のダイ６は、上部を広径、中央部を所定の径、下部を広径とする円筒状の貫通孔６ａを有し、貫通孔６ａの下部にノックアウト７が挿入されている。
【００１０】
金属板４を絞り加工するとき、金属板４の中心を下金型のダイ６の広径の中心に合せ、ニッケルメッキ層５を下にしてダイ６上に載せる。そのあと上金型のパンチ８を下降し、金属板４をダイ６の中央部の所定の径の内壁に沿わせてノックアウト７の上面へ押し込み、この作業を所定回繰り返し、金属板４を徐々に絞り所定の深さのカップ状に形成する。
【００１１】
そして、形成したカップ状の金属板を、貫通孔６ａの所定径と上部広径となる境界部分６ｂのカットライン９示めす位置でカットし、本実施例では、外径ｄ２．０５ｍｍ、長さ５ｍｍのカップ型電極２を完成させる。このように金属板４の少なくとも下金型のダイ６と当接する面にニッケルメッキ層５を形成しているので、下金型のダイ６の所定径と上部広径となる境界の角部分６ｂに金属粉が残留することはなくなる。なお、
金属板４の表裏両面にニッケルメッキ層５を形成すれば、上金型のパンチ８の角部で擦られる傷やその傷による金属粉の発生を防止することができる。
【００１２】
以上のように作成した電極は図２に示すように冷陰極放電ランプのカップ型放電電極２として組み立てられる。この場合、ニッケルメッキ層５は放電電極２の外表面に形成され、金属材による放電特性の劣化はない。
【図面の簡単な説明】
【００１３】
【図１】本発明の実施例に係る冷陰極放電ランプ用カップ型放電電極の製造工程を示す概略工程図で（ａ）は平面図、（ｂ）は断面図である。
【図２】本発明の実施例に係る冷陰極放電ランプ用カップ型放電電極の組立図である。
【符号の説明】
【００１４】
１  冷陰極放電ランプのガラス管
２  放電電極
３  電極棒
４  金属板
５  ニッケルメッキ層
６  下金型のダイ
７  ノックアウト
８  上金型のパンチ
【図１】
2006302675.tif 000003
【図２】
2006302675.tif 000004
(57)【要約】【課題】住宅などの屋内配線は、電源より最初の接続ボックスでスイッチ電灯などに、さらに別の接続ボックスでコンセントなどに接続するなど、接続箇所を数箇所必要としていた。【解決手段】複数の導電体が平行に配置され、多数の平形電線を導電体と直角方向に差し込むと、導電体を介して、多数の平形電線に通電できることを特徴とする集中接続ボックス。【選択図】図５
2006302853.tif 000002
【特許請求の範囲】
【請求項１】
複数の導電体が平行に配置され、多数の平形電線を導電体と直角方向に差し込むと、導電体を介して、多数の平形電線に通電できることを特徴とする集中接続ボックス。
【発明の詳細な説明】
【技術分野】
【０００１】  本発明は、住宅などの屋内配線に使用する集中接続ボックスに関するものである。
【背景技術】
【０００２】  従来、住宅などの屋内配線は、接続箇所を数箇所設け、配線していた。
【発明の開示】
【発明が解決しようとする課題】
【０００３】  そのために、次のような問題点があった。
住宅などの屋内配線は、図１の配電盤（１）より接続ボックス（２）でスイッチ（３）、電灯（４）などに、さらに別の接続ボックス（２）でコンセント（５）などに接続するなど、接続箇所を数箇所必要としており、この作業は、狭い場所で作業を行っていた。
本発明は、以上の複雑な接続を解決しようとするものである。
【課題を解決するための手段】
【０００４】  複数の導電体が平行に配置され、多数の平形電線を導電体と直角方向に差し込むと、導電体を介して、多数の平形電線に通電できる。以上を特徴とする集中接続ボックスである。
【発明の効果】
【０００５】  本発明によると、複雑な接続作業が無くなり、また、あらかじめ別の場所で所定の長さのケーブルを集中接続ボックス（７）に差込み組み立てることにより、狭い場所での接続作業を無くすことができる。
【発明を実施するための最良の形態】
【０００６】  以下、本発明の実施の形態を説明する。
（イ）従来の配電盤（１）から電線を、集中接続ボックス（７）に接続する。
（ロ）上記の集中接続ボックス（７）は、導電体ａ（８）と導電体ｂ（９）が複数並行に設けて、それぞれの導電体（８）（９）に回路線（１０）を複数設け、その先端に各部屋で必要とされるスイッチ（３）、電灯（４）、コンセント（５）、換気扇（６）、などを設ける。
（ハ）集中接続ボックス（７）は、配電盤（１）からの電線と上記に述べた各部屋に配線される複数の電線（１１）が、導電体（８）（９）と直角に設けられている。
（ニ）電線（１１）の先端は導体（１２）と絶縁体（１３）があり、一方の導体（１２）を導電体ａ（８）に、もう一方の導体を導電体ｂ（９）にはめ込み装着する。
その時、導電体ａｂ（１４）の先端を折り曲げ、ム字状に形成して、バネ（１５）を設ける。
従って、導体（１２）がバネ（１５）によって固定される。
なお、本発明について、図８、図９及び図１０に示すように、平行に配置される導電体は、円形及び多角形のものもある。
【図面の簡単な説明】
【０００７】
【図１】従来の屋内配線図
【図２】本発明の集中接続ボックスを使った屋内配線図
【図３】本発明の集中接続ボックスの接続図
【図４】本発明の集中接続ボックスの外観図
【図５】本発明の集中接続ボックスの電線挿入正面図
【図６】本発明の集中接続ボックスの電線挿入側面図
【図７】本発明の他の実施例を示す電線と端子の接続図
【図８】本発明の他の実施例を示す導電体が円筒状の図
【図９】本発明の他の実施例を示す導電体が円板状の図
【図１０】本発明の他の実施例を示す導電体が３角柱状の図
【符号の説明】
【０００８】  １．配電盤
２．接続ボックス
３．スイッチ
４．電灯
５．コンセント
６．換気扇
７．集中接続ボックス
８．導電体ａ
９．導電体ｂ
１０．回路線
１１．電線
１２．導体
１３．絶縁体
１４．導電体ａｂ
１５．バネ
１６．導体装着部
【図１】
2006302853.tif 000003
【図２】
2006302853.tif 000004
【図３】
2006302853.tif 000005
【図４】
2006302853.tif 000006
【図５】
2006302853.tif 000007
【図６】
2006302853.tif 000008
【図７】
2006302853.tif 000009
【図８】
2006302853.tif 000010
【図９】
2006302853.tif 000011
【図１０】
2006302853.tif 000012